(57)【要約】【課題】排水操作部を備え、簡易な構成で、かつ、シンプルな外観を有する水栓装置を提供することを目的とする。【解決手段】吐水部５を備える水栓装置３であって、給水チューブ１３１及び配線ケーブル１３２が内部に配置されるカバー部材４と、カバー部材４の内部に少なくとも一部が配置されてカバー部材４に接続される接続部材７と、水が貯留可能な貯留部１２に設けられた排水栓を開閉するために移動される棒状の排水操作部８１と、排水操作部８１が延びる方向に交差して延びると共に排水操作部８１に接続される取手８２と、を有する排水操作機構８と、を備え、接続部材７の内部には、給水チューブ１３１、配線ケーブル１３２及び排水操作部８１それぞれが配置される配置通路７０１，７０２が形成され、取手８２は、接続部材７の側面からカバー部材４の開口部４２１を貫通して接続部材７の外部に突出して配置される。【選択図】図４
2019173481.tif 000002
【特許請求の範囲】
【請求項１】
吐水部を備える水栓装置であって、
給水チューブ及び配線ケーブルが内部に配置されるカバー部材と、
前記カバー部材の内部に少なくとも一部が配置されて前記カバー部材に接続される接続部材と、
水が貯留可能な貯留部に設けられた排水栓を開閉するために移動される棒状の排水操作部と、前記排水操作部が延びる方向に交差して延びると共に前記排水操作部に接続される取手と、を有する排水操作機構と、を備え、
前記接続部材の内部には、前記給水チューブ、前記配線ケーブル及び前記排水操作部それぞれが配置される配置通路が形成され、
前記取手は、前記接続部材の側面から前記カバー部材の開口部を貫通して前記接続部材の外部に突出して配置される水栓装置。
【請求項２】
前記接続部材は、断面形状の外形が円形状に形成され、
前記排水操作部の前記配置通路は、前記給水チューブ及び前記配線ケーブルが通される前記接続部材の内部において、前記接続部材の内部を前記給水チューブ及び前記配線ケーブルが配置される配置通路と区画して形成される請求項１に記載の水栓装置。
【請求項３】
前記給水チューブ及び前記配線ケーブルの前記配置通路の開口は、前記排水操作部の前記配置通路の開口よりも大きく形成される請求項１又は２に記載の水栓装置。
【請求項４】
前記排水操作部の前記配置通路は、前記配置通路が延びる方向に交差する方向の断面形状が円形状に形成され、
前記給水チューブ及び前記配線ケーブルの前記配置通路は、前記配置通路が延びる方向に交差する方向の断面形状が、前記排水操作部の前記配置通路の断面形状の円形状に沿うように略Ｃ字状に湾曲した長穴状に形成される請求項１〜３のいずれかに記載の水栓装置。
【請求項５】
前記接続部材は、前記排水操作部の上方側への移動範囲を規制する規制部を有する請求項１〜４のいずれかに記載の水栓装置。
【発明の詳細な説明】
【技術分野】
【０００１】
本発明は、水栓装置に関する。
【背景技術】
【０００２】
従来、シンクの底部に設けられた排水栓をポップアップ方式で操作するポップアップ棒（排水操作部）を備えた水栓装置が知られている（例えば、特許文献１及び２参照）。
特許文献１及び２に記載の水栓装置においては、ポップアップ棒を、給水チューブが通された水栓カバー部材から離れた位置において、給水チューブに略平行に配置している。また、ポップアップ棒を、給水チューブに対して傾斜した状態で、水栓カバー部材の内部に挿入して配置することもある。
【先行技術文献】
【特許文献】
【０００３】
【特許文献１】特許第４３０８５６３号公報
【特許文献２】特許第４８４００５６号公報
【発明の概要】
【発明が解決しようとする課題】
【０００４】
ポップアップ棒を、給水チューブに対して傾斜した状態で水栓カバー部材の内部に挿入して配置する場合には、ポップアップ棒と給水チューブが干渉して、組み付けが困難となったり、ポップアップ棒の操作をスムーズに行えない可能性がある。また、ポップアップ棒を給水チューブが通された水栓カバー部材から離れた位置に配置する場合には、水栓カバー部材の形状が複雑になりがちであり、製造しにくい形状になる可能性がある。
そのため、ポップアップ棒（排水操作部）を備える水栓装置において、簡易な構成で、シンプルな外観の水栓装置が求められている。
【０００５】
本発明は、排水操作部を備え、簡易な構成で、かつ、シンプルな外観を有する水栓装置を提供することを目的とする。
【課題を解決するための手段】
【０００６】
本発明は、吐水部（例えば、後述の吐水部５）を備える水栓装置（例えば、後述の第２自動水栓３）であって、給水チューブ（例えば、後述の給水チューブ１３１）及び配線ケーブル（例えば、後述の配線ケーブル１３２）が内部に配置されるカバー部材（例えば、後述のカバー筒体４）と、前記カバー部材の内部に少なくとも一部が配置されて前記カバー部材に接続される接続部材（例えば、後述の取付脚７）と、水が貯留可能な貯留部（例えば、後述のシンク１２）に設けられた排水栓を開閉するために移動される棒状の排水操作部（例えば、後述の排水操作棒８１）と、前記排水操作部が延びる方向に交差して延びると共に前記排水操作部に接続される取手（例えば、後述のレバー部８２）と、を有する排水操作機構（例えば、後述のポップアップ機構８）と、を備え、前記接続部材の内部には、前記給水チューブ、前記配線ケーブル及び前記排水操作部それぞれが配置される配置通路（例えば、後述の第１配置通路７０１、第２配置通路７０２）が形成され、前記取手は、前記接続部材の側面から前記カバー部材の開口部（例えば、後述のカバー側長穴開口４２１）を貫通して前記接続部材の外部に突出して配置される水栓装置に関する。
【０００７】
また、前記接続部材は、断面形状の外形が円形状に形成され、前記排水操作部の前記配置通路は、前記給水チューブ及び前記配線ケーブルが通される前記接続部材の内部において、前記接続部材の内部を前記給水チューブ及び前記配線ケーブルが配置される配置通路と区画して形成されることが好ましい。
【０００８】
また、前記給水チューブ及び前記配線ケーブルの前記配置通路の開口は、前記排水操作部の前記配置通路の開口よりも大きく形成されることが好ましい。
【０００９】
また、前記排水操作部の前記配置通路は、前記配置通路が延びる方向に交差する方向の断面形状が円形状に形成され、前記給水チューブ及び前記配線ケーブルの前記配置通路は、前記配置通路が延びる方向に交差する方向の断面形状が、前記排水操作部の前記配置通路の断面形状の円形状に沿うように略Ｃ字状に湾曲した長穴状に形成されることが好ましい。
【００１０】
また、前記接続部材は、前記排水操作部の上方側への移動範囲を規制する規制部（例えば、後述の区画上端壁７４３）を有することが好ましい。
【発明の効果】
【００１１】
本発明によれば、排水操作部を備え、簡易な構成で、かつ、シンプルな外観を有する水栓装置を提供することができる。
【図面の簡単な説明】
【００１２】
【図１】本発明の一実施形態に係るキッチンユニットの全体斜視図である。
【図２】第２自動水栓を示す斜視図である。
【図３】第２自動水栓を後方側から見た場合の斜視図である。
【図４】第２自動水栓の取付脚及びポップアップ機構の主要な構成を示す断面図である。
【図５】第２自動水栓の取付脚及びポップアップ機構の主要な構成を示す斜視図である。
【図６】図４のＡ−Ａ線断面図であって、第１配置通路及び第２配置通路を示す図である。
【発明を実施するための形態】
【００１３】
以下、本発明の実施形態について図面を参照しながら説明する。なお、本発明は以下の実施形態に限定されるものではない。
本実施形態に係る第２自動水栓（水栓装置）は、例えばキッチンユニットのカウンターや手洗ユニットなどに設置され、人の手等の物体をセンサで検知し、その検知信号に基づいて自動的に水を吐出する装置である。
【００１４】
図１は、本発明の一実施形態に係るキッチンユニット１の全体斜視図である。図２は、第２自動水栓３を示す斜視図である。図３は、第２自動水栓３を後方側から見た場合の斜視図である。図４は、第２自動水栓３の取付脚７及びポップアップ機構８の主要な構成を示す断面図である。図５は、第２自動水栓３の取付脚７及びポップアップ機構８の主要な構成を示す斜視図である。図６は、図４のＡ−Ａ線断面図であって、第１配置通路７０１及び第２配置通路７０２を示す図である。
【００１５】
図１に示すように、キッチンユニット１は、カウンター１１と、シンク１２と、第１自動水栓２と、第２自動水栓３（水栓装置）と、を備える。
【００１６】
シンク１２は、カウンター１１の一部に設けられる。シンク１２は、第１自動水栓２から吐水された水（あるいは湯）や、第２自動水栓３から吐出された水を受けて排出する。シンク１２の底部には、排水口（図示せず）が形成されている。排水口は、排水管（図示せず）と連通している。第１自動水栓２及び第２自動水栓から吐出された水は、手洗いなどに使用される。シンク１２に受けられた水は、排水口に導かれ、排水口から排水管を通じて下水道等の外部に排出される。シンク１２の底部の排水口には、排水栓（図示せず）が設けられている。
【００１７】
シンク１２は、シンク本体１２１と、シンク上面板１２２と、を有する。シンク本体１２１は、図１におけるカウンター１１の手前側に配置され、上方が開口して水平方向に延びた箱状に形成される。シンク上面板１２２は、シンク本体１２１の奥側の上端部から奥側に水平に延びており、カウンター１１の上面１１１から一段下がった位置に配置される。
【００１８】
シンク上面板１２２には、図１において正面から見て左側に配置される第１自動水栓２と、図１において正面から見て右側に配置される第２自動水栓３とが配置される。本実施形態においては、例えば、第１自動水栓２は、温度調整機能付きの自動水栓であり、第２自動水栓３は、浄水供給用の自動水栓である。
【００１９】
第２自動水栓３について説明する。第２自動水栓３は、図２〜図４に示すように、カバー筒体４（水栓カバー部材）と、吐水部５と、物体を検知するセンサ部６と、取付脚７（接続部材）と、排水操作棒８１（排水操作部）を有するポップアップ機構８（排水操作機構）と、を備える。第２自動水栓３は、人の手等の物体がセンサ部６の検知範囲内に入ることでセンサ部６が物体を検知すると、自動的に吐水部５の吐水口５１から水を吐出する。
【００２０】
カバー筒体４は、第２自動水栓３の外形を構成し、筒状に延びて形成される。カバー筒体４は、図２に示すように、シンク上面板１２２から上方に所定長さ延び、上方側において凸になるように湾曲し、手前側に所定長さ延びる。カバー筒体４の内部には、図４に示すように、カバー筒体４に沿って、先端側から基端側に向けて、給水チューブ１３１及び配線ケーブル１３２が通されて配置される。給水チューブ１３１には、吐水部５に供給される水が流される。配線ケーブル１３２の一端には、センサ部６（図１参照）が接続され、他端には、取付脚７の外部側において電源部（図示せず）が接続される。
【００２１】
カバー筒体４の基端側は、シンク上面板１２２の上面に配置され、カバー筒体４の先端側には、吐水部５及びセンサ部６が収容される。カバー筒体４は、図２に示すように、下端（基端）に配置されるスカート部４１と、上下方向延在管４２と、湾曲管４３と、斜め管４４と、を有する。
【００２２】
スカート部４１は、図２及び図３に示すように、シンク１２のシンク上面板１２２の上面に配置される。スカート部は、カバー部材の基端側において、基端側に向かうに従って徐々に開口面積が広がるように形成される。
上下方向延在管４２は、スカート部４１の上端部から上方に所定長さ延びる。上下方向延在管４２の下端部の後方側には、上下方向に延びるカバー側長穴開口４２１（開口部）が形成される。カバー側長穴開口４２１には、後述するポップアップ機構８のレバー部８２が貫通して配置される。
湾曲管４３は、上下方向延在管４２の上部から手前側に湾曲して延びる。
斜め管４４は、湾曲管４３の手前から手前側の斜め下方に延びる。
【００２３】
取付脚７は、図４及び図５に示すように、上下方向に延びる筒状に形成される。取付脚７は、上方側において上下方向に延びる上方側部分７１と、下方側において上下方向に延びる下方側部分７３と、を有する。取付脚７は、上方側部分７１及び下方側部分７３が一体部材で形成され、上方側部分７１及び下方側部分７３が上下方向に直線上に配置されて、円筒状に延びる。
【００２４】
上方側部分７１は、シンク１２のシンク上面板１２２の上面から上方側に配置される部分である。上方側部分７１は、カバー筒体４の基端側（下端側）において、上下方向延在管４２の下端及びスカート部４１の内部に配置される。上方側部分７１の基端（下端）の外周面には、径方向の外側に突出する傾斜フランジ部７２が形成される。傾斜フランジ部７２は、上方側部分７１の下端側において、下端側に向かって徐々に径が大きくなるように形成される。傾斜フランジ部７２は、カバー筒体４のスカート部４１の内部に配置される。
【００２５】
上方側部分７１の後方側の側面には、上下方向に延びる取付脚側長穴開口７１１が形成される。取付脚側長穴開口７１１は、カバー筒体４のカバー側長穴開口４２１に連通すると共に、ポップアップ機構８の排水操作棒８１（後述）が配置される第２配置通路７０２（後述）に連通する。取付脚側長穴開口７１１には、後述するポップアップ機構８のレバー部８２の一端部が挿入される。
【００２６】
下方側部分７３は、シンク１２のシンク上面板１２２の上面から下方側に配置される部分である。下方側部分７３は、上方側部分７１の下端部から下方に延びる。下方側部分７３の外周面には、雄ネジ７３１が形成され、取付脚７をシンク１２のシンク上面板１２２に取り付ける際に、ナット７３２が螺合される。
【００２７】
取付脚７の内部は区画されている。取付脚７は、図４〜図６に示すように、一体部材で形成され、円筒部分７４１と、区画縦壁７４２と、区画上端壁７４３（規制部）と、を有する。円筒部分７４１は、図６に示すように、水平方向の断面形状（円筒部分７４１を径方向に切断して長手方向に見た場合の断面形状）の外形が、円形状に形成される。本実施形態においては、円筒部分７４１は、径が小さい真円の形状に形成される。
【００２８】
区画縦壁７４２は、図４に示すように、円筒部分７４１の内部において、上下方向に延びて形成され、円筒部分７４１の内部の空間を区画する。区画縦壁７４２は、図６に示すように、円筒部分７４１の内部において、水平方向の断面形状（円筒部分７４１を径方向に切断して長手方向に見た場合の断面形状）が円筒状に形成され、円筒部分７４１の後方側の内面部分から前方側に円筒状に突出するように配置される。
【００２９】
区画縦壁７４２を境に、図６に示すように、取付脚７の円筒部分７４１の内部には、前方側（一方側、図６における右側）に第１配置通路７０１が形成され、後方側（他方側、図６における左側）に第２配置通路７０２が形成される。このように、区画縦壁７４２は、円筒部分７４１の内部を、水平方向の断面において、第１配置通路７０１（配置通路）と、第２配置通路７０２（配置通路）とに区画する。第１配置通路７０１及び第２配置通路７０２は、下方に開口して形成される。第１配置通路７０１の開口（開口面積）は、第２配置通路７０２の開口（開口面積）よりも大きく形成される。
【００３０】
第２配置通路７０２は、図６に示すように、円筒部分７４１の水平方向の断面において、区画縦壁７４２を境に、円筒部分７４１の内部の後方側において、円形筒状（円形状）に形成される。第２配置通路７０２には、排水操作棒８１（後述）が配置される。
【００３１】
第１配置通路７０１は、円筒部分７４１の水平方向の断面において、区画縦壁７４２を境に、円筒部分７４１の内部の前方側において、第２配置通路７０２の断面形状の円形筒状に沿うように略Ｃ字状に湾曲した長穴筒状（長穴状）に形成される。第１配置通路７０１には、給水チューブ１３１及び配線ケーブル１３２が配置される。第１配置通路７０１は長穴筒状に形成されるため、配線ケーブル１３２の端部に接続されたコネクタ（図示せず）を通すことも容易である。
【００３２】
区画上端壁７４３は、図４に示すように、第２配置通路７０２の上端部を塞ぐように、区画縦壁７４２の上部と円筒部分７４１の後方側の内面とを水平方向に接続する。区画上端壁７４３は、第２配置通路７０２の上端部を塞ぐように形成されるため、排水操作棒８１（後述）の上方側への移動範囲を規制する。区画上端壁７４３は、カバー筒体４の後方側の側面において、ネジ７４３ａにより、カバー筒体４の上下方向延在管４２に固定される。これにより、取付脚７は、カバー筒体４に固定される。
【００３３】
ポップアップ機構８は、図２及び図４に示すように、排水操作棒８１（排水操作部）と、レバー部８２（取手）と、ワイヤー８３２を有するワイヤー構成部８３と、連結作動部８４と、を備える。
【００３４】
排水操作棒８１は、上下方向に延びる棒状に形成される。排水操作棒８１は、取付脚７の第２配置通路７０２の内部に配置される。排水操作棒８１は、水が貯留可能なシンク１２に設けられた排水栓（図示せず）を開閉するために、レバー部８２の操作により上下方向に移動可能に構成される。排水操作棒８１の上端部には、レバー部８２が接続される。排水操作棒８１の下端部には、ワイヤー構成部８３が接続される。
【００３５】
レバー部８２は、円筒状に形成され、排水操作棒８１が延びる方向に交差する方向に延びる。レバー部８２は、一端が、取付脚７の取付脚側長穴開口７１１及びカバー筒体４のカバー側長穴開口４２１を貫通して第２配置通路７０２に挿入されて、排水操作棒８１の上端部に接続される。また、レバー部８２は、他方側が、取付脚７の取付脚側長穴開口７１１及びカバー筒体４のカバー側長穴開口４２１を介して、カバー筒体４の後方側に延びて、取付脚７及びカバー筒体４の後方側の側面から、カバー筒体４のカバー側長穴開口４２１を貫通して、取付脚７及びカバー筒体４の外部に突出する。
【００３６】
レバー部８２は、後方側の端部側を下方に移動する操作を行うことで、排水操作棒８１を上昇させる操作を行うことができる。レバー部８２の後方側の端面には、後方側に開口して水平方向に延びる操作穴８２１が形成される。操作穴８２１には、例えばドライバ（図示せず）などが挿入される。レバー部８２は、操作穴８２１に挿入されたドライバなどで容易に操作することができる。
【００３７】
ワイヤー構成部８３は、図４に示すように、ワイヤー接続保持筒８３１と、ワイヤー８３２と、ワイヤー被覆筒体８３３と、を有する。ワイヤー８３２の一端部は、排水操作棒８１の下端部に接続される。ワイヤー８３２の他端部は、連結作動部８４（図２参照）に接続される。ワイヤー８３２は、長尺に形成され、ワイヤー被覆筒体８３３の内部に通されている。ワイヤー接続保持筒８３１は、ワイヤー８３２及びワイヤー被覆筒体８３３が排水操作棒８１の下端部に接続された状態を保持する。
【００３８】
連結作動部８４は、図２に示すように、ワイヤー８３２の他端部に接続される。連結作動部８４は、排水操作棒８１が動作することで移動したワイヤー８３２の移動に基づいて作動する。連結作動部８４は、シンク１２（図１参照）の底部の排水口（図示せず）の排水栓（図示せず）を閉塞可能に上下させる閉塞部材（図示せず）に接続される。
【００３９】
以上のように構成されるポップアップ機構８は、レバー部８２の後方側の端部を下げることで、区画された第２配置通路７０２において排水操作棒８１が上方側に移動され、ワイヤー８３２が引っ張られる。これにより、ポップアップ機構８においては、ワイヤー８３２が引っ張られることで、連結作動部８４が作動し、連結作動部８４に接続された閉塞部材（図示せず）により、シンク１２（図１参照）の底部の排水口（図示せず）の排水栓（図示せず）を開閉させることができる。
【００４０】
以上説明した本実施形態に係る第２自動水栓３によれば、以下のような効果を奏する。
本実施形態の第２自動水栓３は、吐水部５を備え、給水チューブ１３１及び配線ケーブル１３２が内部に配置されるカバー筒体４と、カバー筒体４の内部に少なくとも一部が配置されてカバー筒体４に接続される取付脚７と、水が貯留可能なシンク１２に設けられた排水栓を開閉するために移動される棒状の排水操作棒８１と、排水操作部８１が延びる方向に交差して延びると共に排水操作部８１に接続される取手８２と、を有する排水操作機構８と、を備え、接続部材７の内部には、給水チューブ１３１、配線ケーブル１３２及び排水操作部８１それぞれが配置される配置通路７０１，７０２が形成され、取手８２は、接続部材７の側面からカバー筒体４のカバー側長穴開口４２１を貫通して接続部材７の外部に突出して配置される。
【００４１】
そのため、排水操作棒８１を、第２配置通路７０２に配置できるため、排水操作棒８１と給水チューブ１３１及び配線ケーブル１３２とを干渉させずに移動させることができる。また、取付脚７の内部に第１配置通路７０１及び第２配置通路７０２を形成できるため、排水操作棒８１を配置する構成を簡易な構成で実現できる。また、排水操作棒８１を有する第２自動水栓３において、シンプルな外観とすることができる。また、外観をシンプルにできるため、清掃性を向上できる。
【００４２】
また、本実施形態においては、給水チューブ１３１及び配線ケーブル１３２の第１配置通路７０１の開口は、排水操作棒８１の第２配置通路７０２の開口よりも大きく形成される。そのため、第２配置通路７０２において、排水操作棒８１を操作できる程度の開口の大きさにとどめて、第１配置通路７０１において、第２配置通路７０２に、給水チューブ１３１及び配線ケーブル１３２を容易に配置することができる。これにより、取付脚７の開口を有効的に利用して、取付脚７の断面形状を小さい形状に形成できる。
【００４３】
また、本実施形態においては、取付脚７は、断面形状の外形が円形状に形成され、排水操作棒８１の第２配置通路７０２は、給水チューブ１３１及び配線ケーブル１３２が通される取付脚７の内部において、取付脚７の内部を給水チューブ１３１及び配線ケーブル１３２が配置される配置通路と区画して形成される。これにより、取付脚７の断面形状を、径が小さい真円の形状に形成できる。これより、取付脚７の製造が容易となる。また、取付脚７の製造が容易となるため、製造コストを低減できる。
【００４４】
また、本実施形態においては、取付脚７は、排水操作棒８１の上方側への移動範囲を規制する区画上端壁７４３を有する。そのため、区画上端壁７４３により排水操作棒８１が上方側へ移動し過ぎることが規制される。これにより、ワイヤー８３２などの排水操作棒８１に連動して動作する部材の破損を抑制できる。
【００４５】
また、本実施形態においては、排水操作棒８１の第２配置通路７０２は、断面形状が円形筒状（円形状）に形成され、給水チューブ１３１及び配線ケーブル１３２の第１配置通路７０１は、断面形状が、排水操作棒８１の第２配置通路の断面形状の円形筒状に沿うように略Ｃ字状に湾曲した長穴筒状（長穴状）に形成される。これにより、より一層、取付脚７の断面形状を径が小さい真円の形状に形成できる。
【００４６】
本発明は上記実施形態に限定されるものではなく、本発明の目的を達成できる範囲での変形、改良等は本発明に含まれる。
前記実施形態においては、外周面に雄ネジが形成された取付脚（接続部材）をナットで固定するように構成したが、これに限定されない。接続部材をナットで固定せずに、例えば、馬蹄金具で固定するように構成してもよい。
【００４７】
また、前記実施液体では、排水操作棒（排水操作部）の操作によりワイヤーを動作させて、シンクの排水栓を操作するワイヤー式のポップアップ機構を採用したが、これに限定されず、排水操作棒（排水操作部）の操作により作動棒を動作させてシンクの排水栓を操作する機構を採用してもよい。
【符号の説明】
【００４８】
３  第２自動水栓（水栓装置）
４  カバー筒体（カバー部材）
５  吐水部
７  取付脚（接続部材）
８  ポップアップ機構（排水操作機構）
１２  シンク（貯留部）
８１  排水操作棒（排水操作部）
８２  レバー部（取手）
１３１  給水チューブ
１３２  配線ケーブル
４２１  カバー側長穴開口（開口部）
７０１  第１配置通路（配置通路）
７０２  第２配置通路（配置通路）
７４３  区画上端壁（規制部）
【図１】
2019173481.tif 000003
【図２】
2019173481.tif 000004
【図３】
2019173481.tif 000005
【図４】
2019173481.tif 000006
【図５】
2019173481.tif 000007
【図６】
2019173481.tif 000008